(57)【要約】【課題】安価なシステムで容易に時刻修正が行える時刻修正機能付き時計装置を提供する。【解決手段】時計装置は、時計装置全体を制御する制御部８と、時刻を表示する時刻表示部４と、時刻修正開始用の時刻修正スイッチ７と、人間が発する音声を拾うマイクロフォン１と、マイクロフォン１から出力される信号を受け取る音声認識部２と、音声認識部２で認識された音声認識結果を修正時刻情報に変換する時刻変換部３とを備える。時刻修正スイッチ７のオン操作により、時刻表示部４に表示された時刻が修正時刻情報に基づき修正される。【選択図】        図１
2004226344.tif 000002
【特許請求の範囲】
【請求項１】
時刻修正機能を備えた時刻修正機能付き時計装置において、時計装置全体を制御する制御部と、時刻を表示する時刻表示部と、時刻修正開始用の時刻修正スイッチと、人間が発する音声を拾うマイクロフォンと、マイクロフォンから出力される信号を受け取る音声認識部と、音声認識部で認識された音声認識結果を修正時刻情報に変換する時刻変換部と、を備え、
前記時刻修正スイッチのオン操作により、前記時刻表示部に表示された時刻が前記修正時刻情報に基づき修正されることを特徴とする時刻修正機能付き時計装置。
【請求項２】
前記時刻表示部の時刻修正を検出して時刻表示部に表示された時刻情報を音声合成する音声合成部と、音声合成部から出力される音声合成信号に基づき音声を発するスピーカとをさらに備えたことを特徴とする請求項１に記載の時刻修正機能付き時計装置。
【発明の詳細な説明】
【０００１】
【発明の属する技術分野】
本発明は、人間の音声により時刻を修正する機能を備えた時刻修正機能付き時計装置に関するものである。
【０００２】
【従来の技術】
従来、時計装置の時刻修正に際しては、手動の操作により時刻修正を行う方式のものや、電話回線を通じた報時信号を利用して自動的にその時刻の修正を行う方式のものや（例えば、特許文献１参照。）、所定のラジオ放送を受信し、その放送信号に含まれる時報信号を識別して、時報信号に基づいて自動的に時刻の修正を行う方式のものや（例えば、特許文献２参照。）、電話網からインタフェース手段経由で入力した時刻音声情報を、内部時刻コードに変換して内部時計の時刻調整を自動的に行う方式のものがあった（例えば、特許文献３参照。）。
【０００３】
【特許文献１】
特開昭５７−１９１５８７号公報
【特許文献２】
特開昭５８−２０８６８７号公報
【特許文献３】
特開平４−５０７９４号公報
【０００４】
【発明が解決しようとする課題】
しかしながら、従来の手動の操作により時刻修正を行う方式にあっては、複数の操作スイッチを適宜操作して時刻修正を行う必要があり、面倒な作業となっていた。
【０００５】
これに対し、従来の電話回線の接続による時報信号や時刻音声情報、ラジオ放送の時報信号を利用して時刻修正を行う場合には、自動的に時刻修正がなされる利点があるが、時報信号等を受信するための受信回路やシステムが必要となり、コスト高を招くという欠点があった。
【０００６】
そこで、本発明は、安価なシステムで容易に時刻修正が行える時刻修正機能付き時計装置を提供することを目的とする。
【０００７】
【課題を解決するための手段】
上記課題を解決するための技術的手段は、時刻修正機能を備えた時刻修正機能付き時計装置において、時計装置全体を制御する制御部と、時刻を表示する時刻表示部と、時刻修正開始用の時刻修正スイッチと、人間が発する音声を拾うマイクロフォンと、マイクロフォンから出力される信号を受け取る音声認識部と、音声認識部で認識された音声認識結果を修正時刻情報に変換する時刻変換部と、を備え、前記時刻修正スイッチのオン操作により、前記時刻表示部に表示された時刻が前記修正時刻情報に基づき修正される点にある。
【０００８】
また、前記時刻表示部の時刻修正を検出して時刻表示部に表示された時刻情報を音声合成する音声合成部と、音声合成部から出力される音声合成信号に基づき音声を発するスピーカとをさらに備えた構造としてもよい。
【０００９】
【発明の実施の形態】
以下、本発明の第１の実施形態を図面に基づいて説明すると、図１は例えば、車両等に搭載される時刻修正機能付き時計装置のブロック図を示しており、人間が発する音声を拾うマイクロフォン１と、マイクロフォン１から出力される信号を受け取る音声認識部２と、音声認識部２で認識された音声認識結果を修正時刻情報に変換する時刻変換部３と、時刻を表示する時刻表示部４と、時刻表示部４に表示された時刻情報に基づき音声合成する音声合成部５と、音声合成部５から出力される音声合成信号に基づき音声を発するスピーカ６と、時刻修正トリガーとしての時刻修正開始用の時刻修正スイッチ７と、時計装置全体を制御するＣＰＵ等を有する制御部８とを備えている。
【００１０】
前記時刻表示部４は、例えば、液晶ディスプレイ等からなり、制御部８に備えられたタイマーからの時刻情報に基づき現在時刻を表示する。
【００１１】
そして、通常時においては、前記タイマーが時刻を計時し、その時刻情報に基づき現在時刻が時刻表示部４に刻々と表示される。また、この通常時においては音声認識部２の機能は停止させられている。
【００１２】
次に、時刻表示部４に表示されている時刻の修正を行う場合には、時刻修正スイッチ７を押すオン操作により、時刻修正信号が制御部８に入力され、制御部８はその時刻修正信号に基づき音声認識部２の機能を有効にさせる。
【００１３】
そして、時刻修正スイッチ７のオン操作後、マイクロフォン１に向かって修正したい時刻（例えば、１０時３５分）を発声すると、その発声音に基づく信号を音声認識部２が受け取り、音声認識部２で発声音を解析して認識された音声認識結果を時刻変換部３に出力する。
【００１４】
時刻変換部３では、その音声認識結果を対応する修正時刻情報に変換して制御部８に出力する。制御部８では、その修正時刻情報を受け取ると、修正時刻情報に基づきタイマーの時刻を修正する。
【００１５】
そして、タイマーの時刻が修正されると時刻表示部４にはその修正された時刻（１０時３５分）が表示され、次に、その時刻表示部４に表示された時刻情報が音声合成部５に出力される。音声合成部５ではその時刻情報に基づき時刻情報を音声合成する。
【００１６】
その後、音声合成部５は音声合成信号としてスピーカ６に出力し、スピーカ６は音声合成信号に基づきその修正時刻（１０時３５分）を音声として発する。このスピーカ６からの修正時刻の報知により、一連の時刻修正機能が終了し、時刻修正機能は初期の待機状態に復帰する。
【００１７】
なお、時刻修正スイッチ７のオン操作後、タイマーのカウントにより予め設定された所定の一定時間内に、マイクロフォン１に対して修正時刻の発声による入力がない場合にも、自動的に時刻修正機能が終了されるように制御されている。
【００１８】
本実施形態は以上のように構成されており、時計装置の時刻の修正に際しては、時刻修正スイッチ７をオン操作した後、修正したい時刻をマイクロフォン１に向かって発声するだけで、自動的に時刻修正がなされるため、従来のように時刻修正のために複数の操作スイッチを操作する煩わしさもなく、容易に時刻修正が行える。
【００１９】
また、修正された時刻は、スピーカ６を通じて発せられるため、時刻表示部４を目視確認しなくても時刻修正が正しくなされたかどうかが容易に確認できる。特に、車両に搭載された時計装置にあっては、正しく時刻調整されたことを目視確認する必要がないため、道路情報から目を離さずに安全に時刻確認が行える利点がある。
【００２０】
さらに、従来のような時報信号によらないため、任意の希望する時間帯に即座に時刻修正が可能であり、使い勝手に優れる利点もある。
【００２１】
また、人間の発する音声により時刻修正を行う構造としているため、電話回線に対する接続やラジオ放送の受信回路等が不要となり、安価なシステムで提供できる利点がある。
【００２２】
さらに、時刻修正スイッチ７のオン操作によって時刻修正機能が作動する方式であり、周囲の環境音や騒音等の雑音による誤動作も有効に防止できる利点がある。
【００２３】
図２は第２の実施形態を示しており、第１の実施形態と同様構成部分は同一符号を付し、その説明を省略する。
【００２４】
即ち、本実施形態においては、時刻報知スイッチ１０がさらに備えられ、時刻報知スイッチ１０を押すオン操作により、時刻報知信号が制御部８に入力され、制御部８は時刻表示部４に表示されている現在時刻を、音声合成部５およびスピーカ６を通じて報知するように制御する時刻報知機能をさらに備えた構造とされている。
【００２５】
従って、本実施形態においても第１の実施形態と同様の効果を奏すると共に、時刻報知スイッチ１０のオン操作により、時刻表示部４を視認しなくても必要に応じて現在時刻を音声で確認できる利点がある。
【００２６】
なお、上記実施形態においては、車両等に搭載される時刻修正機能付き時計装置を示しているが、置き時計にも同様に適用できる。
【００２７】
【発明の効果】
以上のように本発明の時刻修正機能付き時計装置によれば、時計装置全体を制御する制御部と、時刻を表示する時刻表示部と、時刻修正開始用の時刻修正スイッチと、人間が発する音声を拾うマイクロフォンと、マイクロフォンから出力される信号を受け取る音声認識部と、音声認識部で認識された音声認識結果を修正時刻情報に変換する時刻変換部と、を備え、時刻修正スイッチのオン操作により、時刻表示部に表示された時刻が修正時刻情報に基づき修正される方式であり、任意の希望する時間帯に、時刻修正スイッチをオン操作した後、修正したい時刻をマイクロフォンに向かって発声するだけで、自動的に時刻修正がなされるため、容易に時刻修正が行え、使い勝手に優れ、周囲の環境音や騒音等の雑音による誤動作も有効に防止できる利点があると共に、電話回線に対する接続やラジオ放送受信回路等が不要となり、安価なシステムで提供できる利点がある。
【００２８】
また、時刻表示部の時刻修正を検出して時刻表示部に表示された時刻情報を音声合成する音声合成部と、音声合成部から出力される音声合成信号に基づき音声を発するスピーカとをさらに備えた構成とすれば、修正された時刻がスピーカを通じて発せられるため、時刻表示部を目視確認しなくても時刻修正が正しくなされたかどうかが容易に確認でき、特に、車両に搭載された時計装置にあっては、正しく時刻調整されたことを目視確認する必要がないため、道路情報から目を離さずに安全に時刻確認が行える利点がある。
【図面の簡単な説明】
【図１】本発明の第１の実施形態を示すブロック図である。
【図２】第２の実施形態を示すブロック図である。
【符号の説明】
１  マイクロフォン
２  音声認識部
３  時刻変換部
４  時刻表示部
５  音声合成部
６  スピーカ
７  時刻修正スイッチ
８  制御部
【図１】
2004226344.tif 000003
【図２】
2004226344.tif 000004